(57)【要約】【課題】表示装置の重量及び体積を減少させる。【解決手段】開口部を有するフロントケース及びフロントケースと結合されるリヤケースを含むハウジングユニットと、ハウジングユニットに収納され、開口部と対応する表示領域を有する表示パネルと、ハウジングユニットの内側面及び前記表示パネルの側面の間に介在し、ハウジングユニットに表示パネルを固定する固定部材と、を含むことを特徴とする表示装置。【選択図】図２
2006189856.tif 000002
【特許請求の範囲】
【請求項１】
開口部を有するフロントケース及び前記フロントケースと結合されるリヤケースを含むハウジングユニットと、
前記ハウジングユニットに収納され、前記開口部と対応する表示領域を有する表示パネルと、
前記ハウジングユニットの内側面及び前記表示パネルの側面の間に介在し、前記ハウジングユニットに前記表示パネルを固定する固定部材と、を含むことを特徴とする表示装置。
【請求項２】
前記固定部材は、前記表示パネルの側面上に配置された本体及び前記本体から前記ハウジングユニットの内側面に向かって突出した突出部を含むことを特徴とする請求項１記載の表示装置。
【請求項３】
前記ハウジングユニットは、突出部を収納する部分に対応する凹部を更に含むことを特徴とする請求項２記載の表示装置。
【請求項４】
前記凹部は、前記フロントケース上に形成されることを特徴とする請求項３記載の表示装置。
【請求項５】
前記凹部は、前記リヤケース上に形成されることを特徴とする請求項３記載の表示装置。
【請求項６】
前記フロントケース、前記突出部、及び前記リヤケースは、ねじによって互いに結合されることを特徴とする請求項２記載の表示装置。
【請求項７】
前記本体は、接着部材によって前記表示パネルに接着されることを特徴とする請求項２記載の表示装置。
【請求項８】
開口部を有するフロントケース及び前記フロントケースと結合されるリヤケースを含むハウジングユニットと、
前記ハウジングユニットの内部に配置され、側壁、及び前記ハウジングユニットと結合するためにハウジングユニットの内側面に向かって突出して形成された固定部を含む収納容器と、
前記ハウジングユニットの内部に配置され、フロントケースの開口部と対応する部分に配置される表示パネルと、を含むことを特徴とする表示装置。
【請求項９】
前記固定部は、前記側壁に対して実質的に垂直な方向に形成されることを特徴とする請求項８記載の表示装置。
【請求項１０】
前記固定部は、前記フロントケース及び前記リヤケースの間に介在することを特徴とする請求項８記載の表示装置。
【請求項１１】
前記ハウジングユニットのフロントケースは凹部を含み、
前記固定部は前記凹部に係合されることを特徴とする請求項１０記載の表示装置。
【請求項１２】
前記ハウジングのリヤケースは凹部を含み、
前記固定部は前記凹部に係合されることを特徴とする請求項１０記載の表示装置。
【請求項１３】
前記フロントケース、前記固定部、及び前記リヤケースはねじによって互いに結合されることを特徴とする請求項８記載の表示装置。
【請求項１４】
前記固定部及び前記ハウジングユニットの間には弾性部材が配置されることを特徴とする請求項８記載の表示装置。
【請求項１５】
前記弾性部材は、板スプリング又は緩衝部材を含むことを特徴とする請求項１４記載の表示装置。
【請求項１６】
開口部を有するフロントケース及び前記フロントケースと結合されるリヤケースを含むハウジングユニットと、
前記ハウジングユニットの内部に配置された側壁を有する収納容器と、
前記収納容器の内部に配置され、前記開口部と対応する表示領域を有する表示パネルと、
前記表示パネルの上面の一部に沿って配置された第１シャーシ部、及び前記第１シャーシ部から前記収納容器の側壁に沿って形成され前記ハウジングと結合するためにハウジングの内面に向かって一部が突出した固定部が形成された第２シャーシ部を含むシャーシと、を含むことを特徴とする表示装置。
【請求項１７】
前記固定部は、前記第２シャーシ部に対して実質的に垂直な方向に形成されることを特徴とする請求項１６記載の表示装置。
【請求項１８】
前記固定部は、前記フロントケース及び前記リヤケースの間に介在することを特徴とする請求項１６記載の表示装置。
【請求項１９】
前記フロントケースは凹部を含み、前記固定部は前記凹部に係合されることを特徴とする請求項１８記載の表示装置。
【請求項２０】
前記リヤケースは凹部を含み、前記固定部は前記凹部に係合されることを特徴とする請求項１８記載の表示装置。
【請求項２１】
前記フロントケース、前記固定部、及び前記リヤケースはねじによって互いに結合されることを特徴とする請求項１６記載の表示装置。
【請求項２２】
前記固定部及び前記ハウジングユニットの間には弾性部材が配置されることを特徴とする請求項１６記載の表示装置。
【請求項２３】
前記弾性部材は、スプリング又は緩衝部材を含むことを特徴とする請求項２２記載の表示装置。
【請求項２４】
開口部を有するフロントケース、及び前記フロントケースと結合されるリヤケースを含むハウジングユニットと、
前記ハウジングユニットの内部に配置され、前記ハウジングユニットと結合するためにハウジングユニットの内側面に向かって一部が突出した第１固定部が形成された側壁を含む収納容器と、
前記収納容器の内部に配置され前記開口部と対応する表示領域を有する表示パネルと、
前記表示パネルの上面の一部に沿って配置された第１シャーシ部、及び前記第１シャーシ部から前記収納容器の側壁に沿って形成され前記内面に向かって一部が突出した第２固定部が形成された第２シャーシ部を含むシャーシと、を含むことを特徴とする表示装置。
【請求項２５】
前記第１固定部及び第２固定部は、前記フロントケース及び前記リヤケースの間に配置されることを特徴とする請求項２４記載の表示装置。
【請求項２６】
前記第１固定部及び前記第２固定部は、互いに対向して配置されることを特徴とする請求項２４記載の表示装置。
【請求項２７】
前記フロントケース、前記第１固定部、第２固定部、及び前記リヤケースは、ねじによって互いに結合されることを特徴とする請求項２６記載の表示装置。
【請求項２８】
前記第１固定部及び前記フロントケースの間には第１弾性部材が介在し、前記第２固定部及び前記リヤケースの間には第２弾性部材が介在することを特徴とする請求項２４記載の表示装置。
【請求項２９】
画像情報を直接印加する一つ以上の信号を受けて画像を表示する表示パネルを備え表示領域、外周部、及び外周部に隣接する固定部を含む表示パネルアセンブリと、
前記表示領域に対応する開口部を有する第１ハウジング部及び前記第１ハウジング部に結合される第２ハウジング部を有し、前記表示パネルアセンブリを収納するハウジングと、を含み、
第１ハウジング部及び第２ハウジング部のうち、少なくとも一つは前記表示パネルアセンブリの固定アセンブリに結合されることを特徴とする表示装置。
【請求項３０】
前記ハウジングは前記開口部を覆うウィンドウを含まないことを特徴とする請求項２９記載の表示装置。
【請求項３１】
前記表示パネルアセンブリは他の固定アセンブリを含み、
前記固定アセンブリは表示パネルの一の側面に隣接し、前記他の固定アセンブリは前記一の側面と向かい合う表示パネルの他の側面に隣接することを特徴とする請求項２９記載の表示装置。
【請求項３２】
前記第１及び第２ハウジング部のうち、少なくとも一つは前記固定アセンブリ及び前記他の固定アセンブリと結合されることを特徴とする請求項３１記載の表示装置。
【請求項３３】
前記第１及び第２ハウジング部は、前記固定アセンブリと結合されることを特徴とする請求項２９記載の表示装置。
【請求項３４】
前記第１及び第２ハウジング部は、機械的な結合装置を用いて固定アセンブリに結合されることを特徴とする請求項３３記載の表示装置。
【請求項３５】
前記表示パネルアセンブリは収納コンテイナを更に含み、表示パネルは前記収納コンテイナ内に位置し、前記固定アセンブリは前記収納コンテイナに固着されることを特徴とする請求項２９記載の表示装置。
【請求項３６】
前記表示パネルアセンブリは、前記コンテイナ内にあるモールドフレームを更に含み、前記表示パネルは前記モールドフレーム内に配置されることを特徴とする請求項３５記載の表示装置。
【発明の詳細な説明】
【技術分野】
【０００１】
本発明は表示装置に係り、より詳細には、重量及び体積をより減少させた表示装置に関する。
【背景技術】
【０００２】
一般に、表示装置は、情報処理装置で処理されたデータを画像に変換させる。
【０００３】
表示装置の一種である液晶表示装置は、陰極線管方式表示装置よりスリムで軽いという長所を有している。従って、液晶表示装置は、ポータブルコンピュータ、通信機器、テレビ受信機、及び航空宇宙装備等の多様な電子装置に広く使用されている。
【０００４】
液晶表示装置に含まれた液晶表示パネルは、ガラスを含む基板に形成されるので割れやすい。従って、大部分の液晶表示パネルはハウジングに収納され、ハウジングは情報処理装置と結合される。例えば、携帯電話のような通信機器に採用された表示パネルは、画像が表示される部分が開口されたハウジングに収納され、ハウジングは通信機器の本体と結合される。表示パネルを保護するために、ハウジングの開口部分にはウィンドウが結合される。
【０００５】
従来の液晶表示装置がウィンドウを含む場合、ウィンドウによって表示パネルの破損を防止することができる。しかし、ウィンドウによって液晶表示装置の体積及びサイズが大幅に増加されるという問題点を有する。
【発明の開示】
【発明が解決しようとする課題】
【０００６】
従って、本発明は従来技術による一つ又はそれ以上の問題点及び制限を実質的に除去することを目的とする。
【０００７】
本発明の目的は、表示装置の体積及び重量を減少させることにある。
【課題を解決するための手段】
【０００８】
一般に、表示装置は、表示パネルを有する表示パネルアセンブリで構成される。前記表示パネルは、画像情報を示す一つ以上の信号を受けて画像を表示する。前記表示パネルアセンブリは、表示領域、外周部、及び前記外周部に隣接した固定アセンブリを含むことができる。前記表示装置は、表示パネルアセンブリを収納するハウジングを更に含む。前記ハウジングは、開口部を有する第１ハウジング部を有している。前記開口部は、表示パネルの表示領域に対応して配置される。前記ハウジングは、第１ハウジング部に結合される第２ハウジング部を含むことができ、第１、第２ハウジングのうち、少なくとも一つは表示パネルアセンブリの固定アセンブリと結合されることができる。
【０００９】
実施形態において、ハウジングは、前記開口部を覆うウィンドウを含まない。他の実施形態において、表示パネルアセンブリは、他の固定アセンブリを更に含む。固定アセンブリは、表示パネルの一の側面に隣接することができる。また、他の固定アセンブリは、前記一の側面と向かい合う表示パネルの他の側面に隣接することができる。第１ハウジング部と第２ハウジング部のうち、少なくとも一つは前記固定アセンブリ及び他の固定アセンブリと結合されることができる。一例として、機械的構造による結合装置が使用されることができる。
【００１０】
前記表示パネル装置は収納コンテイナを更に含むことができ、前記収納コンテイナ内に表示パネルが位置することができる。前記固定アセンブリは、前記収納コンテイナに形成されることができる。前記表示パネル装置は、収納コンテイナ内に位置するモールドフレームを更に含むことができる。そして、前記表示パネルは、前記モールドフレーム内に配置されることができる。
【００１１】
本発明の目的を具現するために、本発明による表示装置は、ハウジング、表示パネル、及び固定部材を含む。ハウジングは、開口部を有するフロントケース、及びフロントケースと結合されるリヤケースを含む。表示パネルはハウジングに収納され、開口部と対応する表示領域を有する。固定部材は、ハウジングの内面及び表示パネルの側面の間に介在し、ハウジングに表示パネルを固定する。
【００１２】
又、本発明による表示装置は、ハウジング、収納容器、及び表示パネルを含む。ハウジングは、開口部を有するフロントケース及びフロントケースと結合されるリヤケースを含む。収納容器はハウジングの内部に配置され、ハウジングと結合するためにハウジングの内面に向かって突出された固定部が形成された側壁を含む。表示パネルは収納容器の内部に配置され、開口部と対応する表示領域を有する表示パネルを含む。
【００１３】
又、本発明による表示装置は、ハウジング、収納容器、表示パネル、及びシャーシを含む。ハウジングは、開口部を有するフロントケース及びフロントケースと結合されるリヤケースを含む。収納容器はハウジングの内部に配置され、表示パネルは収納容器の内部に配置され、開口部と対応する表示領域を有する。シャーシは、表示パネルの上面の一部に沿って配置された第１シャーシ部、及び第１シャーシ部から収納容器の側壁に沿って形成され、ハウジングと結合するためにハウジングの内面に向かって一部が突出した固定部が形成された第２シャーシ部を含む。
【００１４】
又、本発明による表示装置は、ハウジング、収納容器、表示パネル、及びシャーシを含む。ハウジングは、開口を有するフロントケース及びフロントケースと結合されるリヤケースを含む。収納容器はハウジングの内部に配置され、ハウジングと結合するために、ハウジングの内側面に向かって一部が突出された第１固定部が形成された収納容器の側壁を含む。表示パネルは、収納容器の内部に配置され、開口と対応する表示領域を有する。シャーシは、表示パネルの周辺部に沿って配置された第１シャーシ部及び第１シャーシ部から収納容器の側壁に沿って延長され内側面に向かって一部が突出された第２固定部が形成された第２シャーシ部を含む。
【発明を実施するための最良の形態】
【００１５】
以下、添付図面を参照して、本発明の好ましい実施形態を詳細に説明する。
【００１６】
図１は、本発明の一実施形態による表示装置が搭載された通信機器を示す斜視図である。図２は、図１のＩ−Ｉ’に沿って切断した断面図である。図３は、図２の分解図である。
【００１７】
図１〜図３を参照すると、通信機器９００は、通信情報を処理する情報処理装置５００及び情報処理装置５００で処理されたデータを表示する表示装置４００を含む。
【００１８】
情報処理装置５００に連結された表示装置４００は、ハウジング１００、表示パネル２００、及び固定部材３００を含む。
【００１９】
ハウジング１００は、表示パネル２００及び固定部材３００を収納する。ハウジング１００は、例えば、フロントケース１１０及びリヤケース１２０を含む。
【００２０】
フロントケース１１０は、第１フロントケース部１１２及び第２フロントケース部１１４を含む。
【００２１】
第１フロントケース部１１２は矩形プレート形状を有し、第２フロントケース部１１４は、フロントケース１１０の外周部をなし、第１フロントケース部１１２の外周部に配置される。第１フロントケース部１１２には、表示パネル２００の有効ディスプレイ領域（Ｅｆｆｅｃｔｉｖｅ  Ｄｉｓｐｌａｙ  Ｒｅｇｉｏｎ、ＥＤＲ）を露出させるための開口部１３０が形成される。
【００２２】
第２フロントケース部１１４は、第１フロントケース部１１２に対して実質的に垂直に配置される。なお、本発明において、「実質的に垂直」とは、「垂直」及び「当業者にとって垂直とみなせる程度に垂直に近い状態」とを含む概念である。表示パネル２００をフロントケース１１０に固定するために、第２フロントケース部１１４には段差部１１４ａが形成される。
【００２３】
リヤケース１２０は、第１リヤケース部１２２及び第２リヤケース部１２４を含む。
【００２４】
第１リヤケース部１２２は矩形プレート形状を有し、第２リヤケース部１２４は、リヤケース１２０の外周部をなし、第１リヤケース部１２２の外周部に配置される。第２リヤケース部１２４は、第１リヤケース部１２２に対して実質的に垂直に配置される。
【００２５】
フロントケース１１０はリヤケース１２０と結合される。フロントケース１１０及びリヤケース１２０を結合するために、第２フロントケース部１１４には第１締結部１１４ｂが形成され、第２リヤケース部１２４には第１締結部１１４ｂに対応する第２締結部１２４ａが形成される。第１締結部１１４ｂ及び第２締結部１２４ｂは、例えば、ねじ１２５によって結合される。
【００２６】
フロントケース１１０の第２フロントケース部１１４及びリヤケース１２０の第２リヤケース部１２４は互いに向かい合い、フロントケース１１０及びリヤケース１２０の間には表示パネル２００及び固定部材３００が配置される。
【００２７】
表示パネル２００は、情報処理装置で処理されたデータを画像に変換させる。表示パネル２００は、液晶を用いてデータを表示する液晶表示パネルを含むことができる。
【００２８】
表示パネル２００は、フロントケース１１０及びリヤケース１２０を有するハウジング１００に収納され、表示パネル２００は固定部材３００によってハウジング１００に結合される。
【００２９】
図４は、本発明の一実施形態による表示パネル及び固定部材を示す斜視図である。
【００３０】
図３及び図４を参照すると、固定部材３００は、本体３１０及び突出部３２０を含む。
【００３１】
本体３１０は、表示パネル２００の互いに向かい合う側面上に１個ずつ配置される。また、突出部３２０は、表示パネル２００の側面上に複数個が直列に配置されることができる。本体３１０は、接着部材３１１を用いて表示パネル２００に結合される。
【００３２】
突出部３２０は、ハウジング１００と結合するために、各本体３１０からハウジング１００の内側面に向って少なくとも１個が突出して形成されることができる。突出部３２０はプレート形状を有することができ、プレート形状を有する突出部３２０は、フロントケース１１０の第２フロントケース部１１４及びリヤケース１２０の第２リヤケース部１２４の間に介在する。これと異なり、突出部３２０は突起形状を有することができる。第２フロントケース部１１４及び第２リヤケース部１２４との間に介在する突出部３２０には貫通孔３２２が形成される。貫通孔３２２は、第２フロントケース部１１４及び第２リヤケース部１２４にそれぞれ形成された第１締結部１１４ｂ及び第２締結部１２４ａに対応する。従って、突出部３２０は、第１締結部１１４ｂ及び第２締結部１２４ａとねじによって結合される。
【００３３】
突出部３２０と対応する第２フロントケース部１１４には、突出部３２０を収容するための第１凹部１１４ｃが形成されることができ、突出部３２０と対応する第２リヤケース部１２４には、突出部３２０を収容するための第２凹部１２４ｂが形成されることができる。これと異なり、突出部３２０を収容する凹部は、第２フロントケース部１１４又は第２リヤケース部１２４のみに形成されることもできる。
【００３４】
図５は、本発明の他の実施形態による表示装置の断面図である。図６は、図５の分解図である。図７は、図５のＩＩ−ＩＩ’に沿って切断した断面図である。
【００３５】
図５〜図７を参照すると、表示装置６００は、ハウジング６３０、表示パネル６４０、及び収納容器６５０を含む。
【００３６】
ハウジング６３０は、表示パネル６４０及び収納容器６５０を収納する。ハウジング６３０は、例えば、フロントケース６１０及びリヤケース６２０を含む。
【００３７】
フロントケース６１０は、第１フロントケース部６１２及び第２フロントケース部６１４を含む。
【００３８】
第１フロントケース部６１２は矩形プレート形状を有し、第２フロントケース部６１４は、フロントケース６１０の外周部をなし、第１フロントケース部６１２の外周部に配置される。第１フロントケース部６１２には、表示パネル６４０の有効ディスプレイ領域ＥＤＲ１を露出させるための開口部６１３が形成される。
【００３９】
第２フロントケース部６１４は、第１フロントケース部６１２に対して実質的に垂直に配置される。表示パネル６４０及び収納容器６５０をフロントケース６１０に固定するために、第２フロントケース部６１４には段差部６１４ａが形成される。
【００４０】
リヤケース６２０は、第１リヤケース部６２２及び第２リヤケース部６２４を含む。
【００４１】
第１リヤケース部６２２は矩形プレート形状を有し、第２リヤケース部６２４は、リヤケース６２０の外周部をなし、第１リヤケース部６２２の外周部に配置される。第２リヤケース部６２４は、第１リヤケース部６２２に対して実質的に垂直に配置される。
【００４２】
フロントケース６１０は、リヤケース６２０と結合される。他の多様な実施形態が可能である。フロントケース６１０はリヤケース６２０と結合されるが、その結合のために第２フロントケース部にある締結部が利用されることができる。つまり、フロントケース６１０及びリヤケース６２０を結合するために、第２フロントケース部６１４には第１締結部６１４ｂが形成され、第２リヤケース部６２４には第１締結部６１４ｂに対応する第２締結部６２４ａが形成される。第１締結部６１４ｂ及び第２締結部６２４ｂは、例えば、ねじ６２５によって結合される。
【００４３】
フロントケース６１０の第２フロントケース部６１４及びリヤケース６２０の第２リヤケース部６２４は互いに向かい合い、フロントケース６１０及びリヤケース６２０の間には、表示パネル６４０及び収納容器６５０が配置される。
【００４４】
収納容器６５０はモールドフレーム６４５を含み、モールドフレーム６４５には表示パネル６４０が収納される。収納容器６５０は金属プレートで製作されることができ、モールドフレーム６４５は合成樹脂材質で製作されることができる。収納容器６５０は、底面６５２及び側壁６５４を含む。モールドフレーム６４５は、表示パネル６４０の側面の一部から光が漏洩することを防止する。
【００４５】
底面６５２は、リヤケース６２０の第１リヤケース部６２２上に配置され、側壁６５４は底面６５２の外周部に配置される。これによって、底面６５２上には表示パネル６４０を収納するための空間が形成される。側壁６５４は、底面６５２の外周部に底面６５２に対して実質的に垂直な方向に配置される。
【００４６】
収納容器６５０の側壁６５４には、プレート形状を有する固定部６５４ａが形成される。固定部６５４ａは、側壁６５４に対して実質的に垂直に配置され、底面６５２に対して平行に配置される。
【００４７】
収納容器６５０をフロントケース６１０及びリヤケース６２０に固定するために、固定部６５４ａは第２フロントケース部６１４及び第２リヤケース部６２４の間に介在する。第２フロントケース部６１４及び第２リヤケース部６２４の間に固定部６５４ａを固定させるために、固定部６５４ａ上には貫通孔６５４ｂが形成される。貫通孔６５４ｂは、第２フロントケース部６１４に形成された第１締結部６１４ｂ及び第２リヤケース部６２４に形成された第２締結部６２４ａと対応する位置上に形成される。従って、固定部６５４ａは、ねじ６２５によって第２フロントケース部６１４及び第２リヤケース部６２４の間に固定される。
【００４８】
固定部６５４ａと対応する第２フロントケース部６１４には、固定部６５４ａを収容するための第１凹部６１４ｃが形成されることができ、固定部６５４ａと対応する第２リヤケース部６２４には、固定部６５４ａを収容するための第２凹部６２４ｂが形成されることができる。また、固定部６５４ａを収容する凹部は、第２フロントケース部６１４又は第２リヤケース部６２４のみに形成されることもできる。
【００４９】
図７を参照すると、第２フロントケース部６１４と固定部６５４ａとの間には、第１弾性部材６５５が介在する。また、固定部６５４ａ及び第２リヤケース部６２４の間には第２弾性部材６５６が介在する。第１弾性部材６５５及び第２弾性部材６５６の例としては、板スプリング、引張スプリング、圧縮スプリング、又はダンパー等が挙げられる。
【００５０】
収納容器６５０に収納された表示パネル６４０は、情報処理装置で処理されたデータを画像に変換させる。表示パネル６４０は、液晶を用いてデータを表示する液晶表示パネルを含むことができる。
【００５１】
図８は、本発明の更に他の実施形態による表示装置の断面図である。図９は、図８の分解図である。図１０は、図８の外観斜視図である。図１１は、図１０の側面図である。
【００５２】
図８〜図１１を参照すると、表示装置７００は、ハウジング７３０、表示パネル７４０、収納容器７５０、及びシャーシ７６０を含む。
【００５３】
ハウジング７３０は、表示パネル７４０、収納容器７５０、及びシャーシ７６０を収納する。ハウジング７３０は、例えば、フロントケース７１０及びリヤケース７２０を含む。
【００５４】
フロントケース７１０は、第１フロントケース部７１２及び第２フロントケース部７１４を含む。
【００５５】
第１フロントケース部７１２は矩形プレート形状を有し、第２フロントケース部７１４はフロントケース７１０の外周部をなし、第１フロントケース部７１２の外周部に配置される。第１フロントケース部７１２には、表示パネル７４０の有効ディスプレイ領域ＥＤＲ２を露出させるための開口部７１３が形成される。
【００５６】
第２フロントケース部７１４は、第１フロントケース部７１２に対して実質的に垂直に配置される。表示パネル７４０及び収納容器７５０をフロントケース７１０に固定するために、第２フロントケース部７１４には段差部７１４ａが形成される。
【００５７】
リヤケース７２０は、第１リヤケース部７２２及び第２リヤケース部７２４を含む。
【００５８】
第１リヤケース部７２２は矩形プレート形状を有し、第２リヤケース部７２４はリヤケース７２０の外周部をなし、第１リヤケース部７２２の外周部に配置される。第２リヤケース部７２４は、第１リヤケース部７２２に対して実質的に垂直に配置される。
【００５９】
フロントケース７１０はリヤケース７２０と結合される。フロントケース７１０及びリヤケース７２０を結合するために、第２フロントケース部７１４には、第１締結部７１４ｂが形成され、第２リヤケース部７２４には第１締結部７１４ｂに対応する第２締結部７２４ａが形成される。第１締結部７１４ｂ及び第２締結部７２４ｂは、例えば、ねじ７２５によって結合される。
【００６０】
フロントケース７１０の第２フロントケース部７１４は、リヤケース７２０の第２リヤケース部７２４と対向する。フロントケース７１０及びリヤケース７２０の間には表示パネル７４０及び収納容器７５０が配置される。
【００６１】
収納容器７５０はモールドフレーム７４５を収納し、モールドフレーム７４５は表示パネル７４０を収納する。収納容器７５０は金属プレートで製作されることができ、モールドフレーム７４５は合成樹脂で製作されることができる。
【００６２】
収納容器７５０は底面７５２及び側壁７５４を含む。底面７５２は、リヤケース７２０の第１リヤケース部７２２の上面に対向して配置され、側壁７５４は底面７５２の外周部に配置されるため、底面７５２上には表示パネル７４０を収納するための空間が形成される。側壁７５４は、底面７５２の外周部に底面７５２に対して実質的に垂直な方向に配置される。
【００６３】
収納容器７５０の内部には表示パネル７４０が配置される。表示パネル７４０は、液晶によって画像を表示する液晶表示パネルである。また、他の表示パネルが使用されることもでき、例えば、有機発光ダイオード表示パネル（ＯＬＥＤ）が使用される。
【００６４】
シャーシ７６０は、表示パネル７４０が収納された収納容器７５０に結合され、それによって表示パネル７４０の破損が防止される。
【００６５】
シャーシ７６０は金属プレートで製作される。シャーシ７６０は、第１シャーシ部７６２及び固定部７６６を有する第２シャーシ部７６４を含む。
【００６６】
第１シャーシ部７６２は、表示パネル７４０が収納容器７５０から離脱することを防止するために、表示パネル７４０の上面の一部に沿って形成される。
【００６７】
第２シャーシ部７６４は第１シャーシ部７６２に連結され、収納容器７５０の側壁７５４と平行な方向に形成される。第２シャーシ部７６４は、収納容器７５０にフック結合される。
【００６８】
第２シャーシ部７６４の一部には固定部７６６が形成される。固定部７６６は、第１シャーシ部７６２と平行な方向に形成される。シャーシ７６０の固定部７６６は、第２フロントケース部７１４及び第２リヤケース部７２４の間に介在する。第２フロントケース部７１４及び第２リヤケース部７２４の間には、固定部７６６が固定されるが、そのために固定部７６６上には貫通孔７６６ａが形成される。貫通孔７６６ａは、第２フロントケース部７１４に形成された第１締結部７１４ｂ及び第２リヤケース部７２４に形成された第２締結部７２４ａと対応する位置に形成される。従って、固定部７６６は、ねじ７２５によって第２フロントケース部７１４及び第２リヤケース部７２４の間に固定される。
【００６９】
固定部７６６と対応する第２フロントケース部７１４には、固定部７６６を収容するための第１凹部７１４ｃが形成されることができ、固定部７６６と対応する第２リヤケース部７２４には固定部７６６を収容するための第２凹部７２４ｂが形成されることができる。これと異なり、固定部７６６を収容する凹部は、第２フロントケース部７１４又は第２リヤケース部７２４にのみ形成されることもできる。
【００７０】
第２フロントケース部７１４と固定部７６６との間には、第１弾性部材が介在する。固定部７６６及び第２リヤケース部７２４の間には、第２弾性部材が介在する。第１弾性部材及び第２弾性部材の例としては、板スプリング、引張スプリング、圧縮スプリング、又はダンパー等が挙げられる。
【００７１】
図１２は、本発明の更に他の実施形態による表示装置の断面図である。図１３は、図１２の分解図である。図１４は、図１２の外観斜視図である。図１５は、図１２の側面図である。
【００７２】
図１２〜図１５を参照すると、表示装置８００は、ハウジング８３０、表示パネル８４０、モールドフレーム８４５、収納容器８５０、及びシャーシ８６０を含む。
【００７３】
ハウジング８３０は、表示パネル８４０、モールドフレーム８４５、収納容器８５０、及びシャーシ８６０を収納する。ハウジング８３０は、例えば、フロントケース８１０及びリヤケース８２０を含む。
【００７４】
フロントケース８１０は、第１フロントケース部８１２及び第２フロントケース部８１４を含む。
【００７５】
第１フロントケース部８１２は矩形プレート形状を有し、第２フロントケース部８１４は、フロントケースの外周部をなし、第１フロントケース部８１２の外周部に配置される。第１フロントケース部８１２には、表示パネル８４０の有効ディスプレイ領域ＥＤＲ３を露出させるための開口部８１３が形成される。
【００７６】
第２フロントケース部８１４は、第１フロントケース部８１２に対して実質的に垂直に配置される。表示パネル８４０、モールドフレーム８４５、及び収納容器８５０をフロントケース８１０に固定するために、第２フロントケース部８１４には段差部８１４ａが形成される。
【００７７】
リヤケース８２０は、第１リヤケース部８２２及び第２リヤケース部８２４を含む。
【００７８】
第１リヤケース部８２２は矩形プレート形状を有し、第２リヤケース部８２４はリヤケース８２０の外周部をなし、第１リヤケース部８２２の外周部に配置される。第２リヤケース部８２４は、第１リヤケース部８２２に対して実質的に垂直に配置される。
【００７９】
フロントケース８１０はリヤケース８２０と結合される。フロントケース８１０及びリヤケース８２０を結合するために、第２フロントケース部８１４には、第１締結部８１４ｂが形成され、第２リヤケース部８２４には、第１締結部８１４ｂに対応する第２締結部８２４ａが形成される。第１締結部８１４ｂ及び第２締結部８２４ｂは、例えば、ねじ８２５によって結合される。
【００８０】
フロントケース８１０の第２フロントケース部８１４及びリヤケース８２０の第２リヤケース部８２４は互いに向かい合い、フロントケース８１０及びリヤケース８２０の間には表示パネル８４０、モールドフレーム８４５、及び収納容器８５０が配置される。
【００８１】
収納容器８５０はモールドフレーム８４５を収納し、モールドフレーム８４５は表示パネル８４０を収納する。収納容器８５０は金属プレートで製作されることができ、モールドフレーム８４５は合成樹脂で製作されることができる。モールドフレーム８４５は、表示パネル８４０の側面の一部から光が漏洩することを防止する。
【００８２】
収納容器８５０は、底面８５２及び側壁８５４を含む。底面８５２は、リヤケース８２０の第１リヤケース部８２２上に配置され、側壁８５４は底面８５２の外周部に配置される。従って、底面８５２上には、表示パネル８４０を収納するための空間が形成される。側壁８５４は、底面８５２の外周部に底面８５２に対して実質的に垂直な方向に配置される。
【００８３】
収納容器８５０の側壁８５４には、プレート形状を有する第１固定部８５４ａが形成される。第１固定部８５４ａは側壁８５４に対して実質的に垂直に配置され、底面８５２に対して平行に配置される。
【００８４】
収納容器８５０をフロントケース８１０及びリヤケース８２０に固定するために、第１固定部８５４ａは第２フロントケース部８１４及び第２リヤケース部８２４の間に介在する。第２フロントケース部８１４及び第２リヤケース部８２４の間に第１固定部８５４ａを固定させるために、第１固定部８５４ａ上には第１貫通孔８５４ｂが形成される。第１貫通孔８５４ｂは、第２フロントケース部６１４に形成された第１締結部８１４ｂ及び第２リヤケース部８２４に形成された第２締結部８２４ａと対応する位置に形成される。従って、第１固定部８５４ａは、ねじ８２５によって第２フロントケース部８１４及び第２リヤケース部８２４の間に固定される。
【００８５】
第１固定部８５４ａと対応する第２フロントケース部８１４には、第１固定部８５４ａを収容するための第１凹部８１４ｃが形成されることができ、第１固定部８５４ａと対応する第２リヤケース部８２４には、第１固定部８５４ａを収容するための第２凹部８２４ｂが形成されることができる。これと異なり、第２固定部８５４ａを収容する凹部は、第２フロントケース部８１４又は第２リヤケース部８２４にのみ形成されることもできる。
【００８６】
モールドフレーム８４５は収納容器８５０の内部に配置され、モールドフレーム８４５の内部には表示パネル８４０が配置される。表示パネル８４０は、液晶によって画像を表示する液晶表示パネルである。
【００８７】
シャーシ８６０は、表示パネル８４０が収納された収納容器８５０に結合され、それによって、表示パネル８４０の破損が防止される。
【００８８】
シャーシ８６０は金属プレートで製作される。シャーシ８６０は、第１シャーシ部８６２及び第２固定部８６６を有する第２シャーシ部８６４を含む。
【００８９】
第１シャーシ部８６２は、表示パネル８４０が収納容器８５０から離脱することを防止するために、表示パネル８４０の上面の一部に沿って形成される。
【００９０】
第２シャーシ部８６４は第１シャーシ部８６２に連結され、収納容器８５０の側壁８５４と平行な方向に形成される。第２シャーシ部８６４は、収納容器８５０にフック結合される。
【００９１】
第２シャーシ部８６４の一部には第２固定部７６６が形成される。第２固定部８６６には、第１シャーシ部８６２と平行な方向形成される。シャーシ８６０の第２固定部８６６は第１固定部８５４ａと対向する。第２固定部８６６は、第２フロントケース部８１４及び第２リヤケース部８２４の間に介在する。第２フロントケース部８１４及び第２リヤケース部８２４の間に第２固定部８６６を固定させるために、第２固定部７６６上には第２貫通孔８６６ａが形成される。第２貫通孔７６６ａは、第２フロントケース部８１４に形成された第１締結部８１４ｂ及び第２リヤケース部８２４に形成された第２締結部８２４ａと対応する位置に形成される。従って、第２固定部８６６は、ねじ８２５によって第２フロントケース部８１４及び第２リヤケース部８２４の間に固定される。
【００９２】
第１及び第２固定部８５４ａ、８６６と対応する第２フロントケース部８１４には、第１及び第２固定部８５４ａ、８６６を収容するための第１凹部８１４ｃが形成されることができ、第１及び第２固定部８５４ａ、８６６と対応する第２リヤケース部８２４には固定部８６６を収容するための第２凹部８２４ｂが形成されることができる。これと異なり、第１及び第２固定部８５４ａ、８６６を収容する凹部は、第２フロントケース部８１４又は第２リヤケース部８２４にのみ形成されることもできる。
【００９３】
第２フロントケース部８１４と第１固定部８５４ａとの間には、第１弾性部材が介在する。また、第２固定部８６６及び第２リヤケース部８２４の間には、第２弾性部材が介在する。第１弾性部材及び第２弾性部材の例としては、板スプリング、引張スプリング、圧縮スプリング、又はダンパー等が挙げられる。
【産業上の利用可能性】
【００９４】
以上で詳細に説明したように、表示装置のサイズをよりコンパクトに製作することができる効果を有する。
【００９５】
以上、本発明の実施形態によって詳細に説明したが、本発明はこれに限定されず、本発明が属する技術分野において通常の知識を有するものであれば本発明の思想と精神を離れることなく、本発明を修正または変更できる。
【図面の簡単な説明】
【００９６】
【図１】本発明の一実施形態による表示装置が搭載された通信機器を示す斜視図である。
【図２】図１のＩ−Ｉ’に沿って切断した断面図である。
【図３】図２の分解図である。
【図４】本発明の一実施形態による表示パネル及び固定部材を示す斜視図である。
【図５】本発明の他の実施形態による表示装置の断面図である。
【図６】図５の分解図である。
【図７】図５のＩＩ−ＩＩ’に沿って切断した断面図である。
【図８】本発明の更に他の実施形態による表示装置の断面図である。
【図９】図８の分解図である。
【図１０】図８の外観斜視図である。
【図１１】図１０の側面図である。
【図１２】本発明の更に他の実施形態による表示装置の断面図である。
【図１３】図１２の分解図である。
【図１４】図１２の外観斜視図である。
【図１５】図１２の側面図である。
【符号の説明】
【００９７】
１００、６３０、７３０、８３０    ハウジング、
１１０、６１０、７１０、８１０    フロントケース、
１１２、６１２、７１２、８１２    第１フロントケース部、
１１４、６１４、７１４、８１４    第２フロントケース部、
１２０、６２０、７２０、８２０    リヤケース、
１３０、６１３、７１３、８１３    開口部、
２００、６４０、７４０、８４０    表示パネル、
３００    固定部材、
３１０    本体、
３２０    突出部、
３２２、６５４ｂ、７６６ａ    貫通孔、
４００、６００、７００、８００    表示装置、
５００    情報処理装置、
９００    通信機器。
【図１】
2006189856.tif 000003
【図２】
2006189856.tif 000004
【図３】
2006189856.tif 000005
【図４】
2006189856.tif 000006
【図５】
2006189856.tif 000007
【図６】
2006189856.tif 000008
【図７】
2006189856.tif 000009
【図８】
2006189856.tif 000010
【図９】
2006189856.tif 000011
【図１０】
2006189856.tif 000012
【図１１】
2006189856.tif 000013
【図１２】
2006189856.tif 000014
【図１３】
2006189856.tif 000015
【図１４】
2006189856.tif 000016
【図１５】
2006189856.tif 000017